【事件の表示】
　特願２０１４−１３１３８１号「遊技機」拒絶査定不服審判事件〔平成２８年１月１８日出願公開、特開２０１６−７４９０号〕について、次のとおり審決する。
【結　論】
　本件審判の請求は、成り立たない。
【理　由】
第１　手続の経緯
　本願は、平成２６年６月２６日に特許出願されたものであって、平成２８年１１月２８日付けで拒絶理由通知がなされ、平成２９年２月６日に意見書及び手続補正書が提出され、同年７月１８日付けで最後の拒絶理由通知がなされ、同年９月２５日に意見書及び手続補正書が提出され、平成３０年２月１日付けで平成２９年９月２５日付け手続補正に対する補正の却下の決定がなされるとともに拒絶査定がなされ、これに対して平成３０年５月１４日に拒絶査定不服審判が請求されるとともに手続補正がなされたものである。
第２　平成３０年５月１４日に提出された手続補正書による補正についての補正の却下の決定
［補正の却下の決定の結論］
　平成３０年５月１４日に提出された手続補正書による補正（以下「本件補正」という。）を却下する。
［理由］
１　補正の内容
　本件補正は特許請求の範囲の記載の補正を含む補正であり、本件補正により、特許請求の範囲の請求項１及び２の記載は、
　本件補正前の
「　【請求項１】
　遊技者にとって有利な有利状態に制御可能な遊技機であって、
　遊技媒体が入賞可能な開状態に変化可能な可変入賞装置と、
　前記有利状態へ制御する有利状態制御手段と、
　前記可変入賞装置に遊技媒体が入賞し第１条件が成立したときに、第１の報知を行う第１報知手段と、
　前記可変入賞装置に遊技媒体が入賞し前記第１条件とは異なる第２条件が成立したときに、第２の報知を行う第２報知手段と
を備え、
　前記第１条件は、
　少なくとも前記可変入賞装置に所定数の遊技媒体が入賞して前記有利状態が終了する場合に成立するとともに、
　前記第２条件は、
　前記可変入賞装置に遊技媒体が入賞したことに基づいて付与される遊技価値が所定値に到達したことで成立し、
　前記第１条件と前記第２条件とが成立したときには、前記第１報知手段による前記第１の報知と、前記第２報知手段による前記第２の報知とを重複して実行可能であることを特徴とする遊技機。
　　【請求項２】
　遊技者にとって有利な有利状態に制御可能な遊技機であって、
　遊技媒体が入賞可能な開状態に変化可能な可変入賞装置と、
　前記有利状態へ制御する有利状態制御手段と、
　前記可変入賞装置に遊技媒体が入賞し第１条件が成立したときに、第１の報知を行う第１報知手段と、
　前記可変入賞装置に遊技媒体が入賞し前記第１条件とは異なる第２条件が成立したときに、第２の報知を行う第２報知手段と
を備え、
　前記第１条件は、
　少なくとも前記可変入賞装置に所定数の遊技媒体が入賞して前記有利状態が終了する場合に成立するとともに、
　前記第２条件は、
前記可変入賞装置に遊技媒体が入賞したことに基づいて付与される遊技価値が所定値に到達したことで成立し、
　前記第１条件と前記第２条件とが成立したときには、前記第１報知手段による前記第１の報知と、前記第２報知手段による前記第２の報知とのうちいずれか一方を実行可能であることを特徴とする遊技機。」
から、
　本件補正後の
「　【請求項１】
　遊技者にとって有利な有利状態に制御可能な遊技機であって、
　遊技媒体が入賞可能な開状態に変化可能な可変入賞装置と、
　前記有利状態へ制御する有利状態制御手段と、
　
前記有利状態において
　
前記有利状態において
　を備え、
　前記第１条件は、少なくとも前記可変入賞装置に所定数の遊技媒体が入賞して前記有利状態が終了する場合に成立
し
　前記第２条件は、前記可変入賞装置に遊技媒体が入賞したことに基づいて付与される遊技価値が所定値に到達したことで成立し、
　前記第１条件と前記第２条件とが
同じタイミングにおいて
り、
　
前記第２報知手段は、前記第２条件が成立したときに前記第１条件も成立した場合、前記第１の報知よりも目立たない態様で前記第２の報知を実行す
　ことを特徴とする遊技機。
　　【請求項２】
　遊技者にとって有利な有利状態に制御可能な遊技機であって、
　遊技媒体が入賞可能な開状態に変化可能な可変入賞装置と、
　前記有利状態へ制御する有利状態制御手段と、
　
前記有利状態において
　
前記有利状態において
　を備え、
　前記第１条件は、少なくとも前記可変入賞装置に所定数の遊技媒体が入賞して前記有利状態が終了する場合に成立
し
　前記第２条件は、前記可変入賞装置に遊技媒体が入賞したことに基づいて付与される遊技価値が所定値に到達したことで成立し、
　
前記第１報知手段は、
が成立したときに
も
場合、該第１条件が成立したタイミングにおいて
を
し、
　
前記第２報知手段は、前記第２条件が成立したときに前記第１条件も成立した場合、前記有利状態が終了した後に実行される可変表示中において前記第２の報知を実行す
　ことを特徴とする遊技機。」
に補正された（当審にて、補正箇所を明示するための下線を付した。）。
２　補正の適否
（１）本件補正
　本件補正は、特許請求の範囲について、以下に挙げる補正事項１から６を含むものである。 
ア　補正事項１
　請求項１、２に係る発明の発明特定事項である「第１報知手段」が「第１の報知を行う」のが、「前記可変入賞装置に遊技媒体が入賞し第１条件が成立したとき」であるのを、「前記有利状態において前記可変入賞装置に遊技媒体が入賞し第１条件が成立したとき」であると限定する補正。
イ　補正事項２
　請求項１、２に係る発明の発明特定事項である「第２報知手段」が「第２の報知を行う」のが、「前記可変入賞装置に遊技媒体が入賞し前記第１条件とは異なる第２条件が成立したとき」であるのを、「前記有利状態において前記可変入賞装置に遊技媒体が入賞し前記第１条件とは異なる第２条件が成立したとき」であると限定する補正。
ウ　補正事項３
　本件補正前の請求項１、２における、「前記第１条件は、少なくとも前記可変入賞装置に所定数の遊技媒体が入賞して前記有利状態が終了する場合に成立するとともに、前記第２条件は、前記可変入賞装置に遊技媒体が入賞したことに基づいて付与される遊技価値が所定値に到達したことで成立し」という記載を、「前記第１条件は、少なくとも前記可変入賞装置に所定数の遊技媒体が入賞して前記有利状態が終了する場合に成立し、前記第２条件は、前記可変入賞装置に遊技媒体が入賞したことに基づいて付与される遊技価値が所定値に到達したことで成立し」とする補正。
エ　補正事項４
　請求項１に係る発明の発明特定事項である「第１報知手段」及び「第２報知手段」に関して、「前記第１報知手段による前記第１の報知と、前記第２報知手段による前記第２の報知とを重複して実行可能であ」るのが、「前記第１条件と前記第２条件とが成立したとき」であるのを、「前記第１条件と前記第２条件とが同じタイミングにおいて成立したとき」に限定する補正。
オ　補正事項５
　請求項１に係る発明の発明特定事項である「第２報知手段」に関して、「前記第２報知手段は、前記第２条件が成立したときに前記第１条件も成立した場合、前記第１の報知よりも目立たない態様で前記第２の報知を実行す」ると限定するとともに、これに伴って直前の「実行可能である」という記載を「実行可能であり、」として末尾の平仄を合わせる補正。
カ　補正事項６
　請求項２に係る発明の発明特定事項である「第１報知手段」及び「第２報知手段」に関して、「前記第１条件と前記第２条件とが成立したときには、前記第１報知手段による前記第１の報知と、前記第２報知手段による前記第２の報知とのうちいずれか一方を実行可能である」という記載を、「前記第１報知手段は、前記第１条件が成立したときに前記第２条件も成立した場合、該第１条件が成立したタイミングにおいて前記第１の報知を実行し」、「前記第２報知手段は、前記第２条件が成立したときに前記第１条件も成立した場合、前記有利状態が終了した後に実行される可変表示中において前記第２の報知を実行する」とする補正。
（２）新規事項について
　上記補正事項１ないし６は、本願の願書に最初に添付された明細書、特許請求の範囲又は図面の【０１２６】、【０１２７】、【０１９７】、【０２６９】、【０３０２】、【０３１２】、【０３６６】、【０３６９】、【０３７０】、【０３９０】、【０３９６】、【０３９７】、【０３９８】【図３６】、【図４１】、【図４３】、【図４４】、【図４６】、【図４７】、【図４９】、【図５１】、【図５２】、【図５３】、【図５４】、【図５５】、【図５６】、【図５８】に基づくものであり、新規事項を追加するものではないから、本件補正は、特許法第１７条の２第３項の規定を満足する。
（３）補正の目的について
ア　補正事項１、２、４、５について
　上記補正事項１、２、４及び５はいずれも、発明特定事項である「第１報知手段」又は「第２報知手段」を限定する補正であるから、特許法第１７条の２第５項第２号に掲げる特許請求の範囲の減縮を目的とするものに該当する。
イ　補正事項３について
　上記補正事項３については、本件補正前の請求項１、２の記載から、「第１条件」が、「少なくとも前記可変入賞装置に所定数の遊技媒体が入賞して前記有利状態が終了する場合に成立」すること、及び「第２条件」が、「前記可変入賞装置に遊技媒体が入賞したことに基づいて付与される遊技価値が所定値に到達したことで成立」することは明らかであるから、特許法第１７条の２第５項第３号に掲げる誤記の訂正を目的とするものに該当する。
ウ　補正事項６について
　上記補正事項６は、本件補正前の「前記第１条件と前記第２条件とが成立したときには、前記第１報知手段による前記第１の報知と、前記第２報知手段による前記第２の報知とのうちいずれか一方を実行可能である」ことを、「前記第１報知手段は、前記第１条件が成立したときに前記第２条件も成立した場合、該第１条件が成立したタイミングにおいて前記第１の報知を実行」することに限定した上で、さらに発明特定事項である「前記第２報知手段」について、「前記第２条件が成立したときに前記第１条件も成立した場合、前記有利状態が終了した後に実行される可変表示中において前記第２の報知を実行する」と限定する補正であるから、特許法第１７条の２第５項第２号に掲げる特許請求の範囲の減縮を目的とするものに該当する。
エ　産業上の利用分野及び解決しようとする課題について
　本件補正後の請求項１及び２に記載された発明は、本件補正前の請求項１及び２に記載された発明と、産業上の利用分野及び解決しようとする課題が同一である。
オ　補正の目的についてのむすび
　上記アからエより、本件補正は、特許法第１７条の２第５項第２号及び第３号に掲げる事項を目的とするものに該当する。
３　独立特許要件
　上記「２　補正の適否」「（３）補正の目的について」のとおり、本件補正は、特許法第１７条の２第５項第２号及び第３号に掲げる事項を目的とするものであるから、本件補正後の請求項１、２に係る発明（以下それぞれ「本件補正発明１」、「本件補正発明２」という。）が、特許出願の際独立して特許を受けることができるものであるか（特許法第１７条の２第６項において準用する同法第１２６条第７項の規定に適合するか）について、以下で検討することとする。
（１）本件補正発明１及び２
　本件補正発明１及び２を再掲すると、次のとおりのものである（当審にて、分説のための記号ＡからＬを付した。以下「構成Ａ」等という。）。
「　【請求項１】
Ａ　遊技者にとって有利な有利状態に制御可能な遊技機であって、
Ｂ　遊技媒体が入賞可能な開状態に変化可能な可変入賞装置と、
Ｃ　前記有利状態へ制御する有利状態制御手段と、
Ｄ　前記有利状態において前記可変入賞装置に遊技媒体が入賞し第１条件が成立したときに、第１の報知を行う第１報知手段と、
Ｅ　前記有利状態において前記可変入賞装置に遊技媒体が入賞し前記第１条件とは異なる第２条件が成立したときに、第２の報知を行う第２報知手段と
　を備え、
Ｆ　前記第１条件は、少なくとも前記可変入賞装置に所定数の遊技媒体が入賞して前記有利状態が終了する場合に成立し、
Ｇ　前記第２条件は、前記可変入賞装置に遊技媒体が入賞したことに基づいて付与される遊技価値が所定値に到達したことで成立し、
Ｈ　前記第１条件と前記第２条件とが同じタイミングにおいて成立したときには、前記第１報知手段による前記第１の報知と、前記第２報知手段による前記第２の報知とを重複して実行可能であり、
Ｉ　前記第２報知手段は、前記第２条件が成立したときに前記第１条件も成立した場合、前記第１の報知よりも目立たない態様で前記第２の報知を実行することを特徴とする
Ｊ　遊技機。
　　【請求項２】
Ａ　遊技者にとって有利な有利状態に制御可能な遊技機であって、
Ｂ　遊技媒体が入賞可能な開状態に変化可能な可変入賞装置と、
Ｃ　前記有利状態へ制御する有利状態制御手段と、
Ｄ　前記有利状態において前記可変入賞装置に遊技媒体が入賞し第１条件が成立したときに、第１の報知を行う第１報知手段と、
Ｅ　前記有利状態において前記可変入賞装置に遊技媒体が入賞し前記第１条件とは異なる第２条件が成立したときに、第２の報知を行う第２報知手段と
　を備え、
Ｆ　前記第１条件は、少なくとも前記可変入賞装置に所定数の遊技媒体が入賞して前記有利状態が終了する場合に成立し、
Ｇ　前記第２条件は、前記可変入賞装置に遊技媒体が入賞したことに基づいて付与される遊技価値が所定値に到達したことで成立し、
Ｋ　前記第１報知手段は、前記第１条件が成立したときに前記第２条件も成立した場合、該第１条件が成立したタイミングにおいて前記第１の報知を実行し、
Ｌ　前記第２報知手段は、前記第２条件が成立したときに前記第１条件も成立した場合、前記有利状態が終了した後に実行される可変表示中において前記第２の報知を実行することを特徴とする
Ｊ　遊技機。」
（２）引用文献
ア　引用文献１
　原査定の拒絶の理由で引用され、本願の出願前に頒布された又は電気通信回線を通じて公衆に利用可能となった、特開２０１３−２０８３８０号公報（平成２５年１０月１０日出願公開。以下「引用文献１」という。）には、以下の事項が記載されている。
［記載事項］
（ア）「【００２０】
　装飾図柄表示装置２０８は、装飾図柄ならびに演出に用いる様々な表示を行うための表示装置であり、本実施の形態では液晶表示装置（Ｌｉｑｕｉｄ  Ｃｒｙｓｔａｌ  Ｄｉｓｐｌａｙ）によって構成する。
装飾図柄表示装置２０８
演出表示領域２０８ｄ
（イ）「【００３５】
　まず、
パチンコ機１００の主制御部３００
主制御部３００は
基本回路３０２を備えており、基本回路３０２には、ＣＰＵ３０４
を搭載している
（ウ）「【００４２】
　次に、
パチンコ機１００の第１副制御部４００
第１副制御部４００は
基本回路４０２を備えており、基本回路４０２には、ＣＰＵ４０４
を搭載している
【００４３】
　また、
基本回路４０２には
ＣＰＵ４０４からの信号に基づいて
装飾図柄表示装置２０８に画像を表示するＶＤＰ４３４
を接続している
（エ）「【００５０】
　図５（ａ）には、図柄変動停止表示における停止図柄態様として「特図Ａ」から「特図Ｊ」までの１０種類の特図が示されている。図５（ａ）においては、図中の白抜きの部分が消灯するセグメントの場所を示し、黒塗りの部分が点灯するセグメントの場所を示している。
「特図Ａ」は１５ラウンド（１５Ｒ）特別大当り図柄
「特図Ａ」
は、遊技者に対する有利度が相対的に大きくなる図柄である
（オ）「【００６７】
　次に、図７を用いて、
主制御部３００のＣＰＵ３０４が実行する主制御部タイマ割込処理
（カ）「【０１４５】
　本実施形態によるパチンコ機１００は、遊技球が流下可能な遊技領域１２４と、遊技領域１２４に設けられ、
遊技球が入球可能な開状態
と遊技球が入球不可能な閉状態
とのいずれか一方から他方へ移行可能な可変入賞口２３４、２３５（入賞手段の一例）
を備え
入賞手段が閉鎖する契機には、入賞手段への規定個数の入球
が含まれ
【０１４６】
　次に、可変入賞口２３４、２３５の閉鎖状態と同時期に実行可能とするための入賞無効期間の設定処理について図１１を用いて説明する。図１１は、入賞口閉鎖状態設定処理の流れの一例を示すフローチャートである。
入賞口閉鎖状態設定処理は、例えば主制御部タイマ割込み処理
において実行される。
【０１４７】
　図１１に示すように、
入賞口閉鎖状態設定処理では
主制御部３００は
ステップＳ１００３に移行し
【０１４８】
　ステップＳ１００１の次の
ステップＳ１００３では
主制御部３００は
可変入賞口２３４、２３５のそれぞれについて、当り遊技における扉部材２３４ａおよび扉部材２３５ａのそれぞれの開放パターン
を決定し
（キ）「【０１６７】
　図１５は、２つの
大入賞口
（
可変入賞口２３４、２３５）
（ク）「【０１８２】
　次に、本実施形態によるパチンコ機１００における可変入賞口の開放パターンおよび入賞検知パターンの種々の例を図１８乃至図２４を用いて説明する。図１８乃至図２４（図２０（ｃ）および図２２（ｂ）を除く）において、図中上段の「大入賞口開放」は、入賞口閉鎖状態設定処理（ステップＳ１００３）において設定された可変入賞口開放パターン（可変入賞口の開放制御波形）を示し、「ＯＮ」は大入賞口の扉部材を開放状態にすることを表し、「ＯＦＦ」は大入賞口の扉部材を閉鎖状態にすることを表している。図中下段の「検知有効」は、入賞口閉鎖状態設定処理で設定された入賞有効期間および入賞無効期間を含む入賞検知パターン（入賞検知制御波形）を示し、「ＯＮ」は入賞を有効と判定する状態を表し、「ＯＦＦ」は入賞を無効と判定する状態を表している。また、図中左から右に向かって時の経過を示している。
パチンコ機１００に備えられた主制御部３００のＣＰＵ３０４は
可変入賞口の開放パターンに基づいて可変入賞口２３４および／または可変入賞口２３５の開閉制御を少なくとも実行可能になって
（ケ）「【０２２４】
　次に、累計ラウンド数や累計賞球数に基づいて実行される特別演習について図２５乃至図３８を用いて説明する。図２５は、特別演出制御処理の流れの一例を示すフローチャートである。特別演出制御処理は例えば第１副制御部メイン処理の演出制御処理（ステップＳ３０９）において実行される。
特別演出制御処理は、第１副制御部４００のＣＰＵ４０４がＲＡＭ４０８等を制御して実行される。
【０２２５】
　図２５に示すように、特別演出制御処理ではまず、
主制御部３００から大入賞口入賞コマンド
第１副制御部４００は、当該コマンドを受信したと判定し
【０２２６】
　ステップＳ１３０１の次の
ステップＳ１３０３では
第１副制御部４００は、所定条件１を充足したと判定したら
所定条件１は
大当りＡ
に基づく大当り遊技であること
である。
・・・中略・・・
【０２２８】
　ステップＳ１３０３の次のステップＳ１３０５では、カウンタに所定値を加算する。例えば第１副制御部４００は、ラウンド数を示す情報を含むコマンドを受信し、前回受信したコマンドに含まれていたラウンド数よりも増加していると判定したらＲＡＭ４０８の所定の記憶領域に設けられた累計ラウンド数カウンタの値を読み出して、増加した分を当該値に加算して、ＲＡＭ４０８の所定の記憶領域に記憶し直す。また、例えば
第１副制御部４００は
累計賞球数カウンタの値を読み出して、増加した分を当該値に加算して、
記憶し直す
・・・中略・・・
【０２３０】
　ステップＳ１３０７の次の
ステップＳ１３０９では、所定条件２を充足しているか否かを判定する。
第１副制御部４００は
累計賞球数が所定値を超えていると判定したら所定条件２を充足したと判断して
（コ）「【０２４３】
　図２７（ａ）に示すように、
所定条件２が累計賞球数に基づく
「条件１」では、「達成条件」（所定条件２）が「累計賞球数が２０００個」であり
（サ）「【０２４８】
　
パチンコ機１００は
特図変動遊技に当選すると、
当り遊技が開始されて可変入賞口２３４または可変入賞口２３５が開放され
【０２４９】
　図２８（ａ）は、大当り遊技が開始するとともに大当り遊技演出開始直後の装飾図柄表示装置２０８の表示画面例を示している。
第１副制御部４００は、主制御部３００から送信された入賞演出開始コマンドを受信したら、第１副制御部４００のＣＰＵ４０４がＲＯＭ４０６、ＲＡＭ４０８、ＶＤＰ４３４、ＶＲＡＭ４３６等を制御して大当り遊技演出において使用する画像等を決定・生成し、当該大当り遊技演出の内容を含むコマンドを装飾図柄表示装置２０８に送信する。装飾図柄表示装置２０８が当該コマンドを受信すると、図２８（ａ）に示すように、装飾図柄表示装置２０８の演出表示領域２０８ｄ内の中央上方には、「大当り開始」という文字表示がなされて大当り遊技が開始されたことが報知されている。また、当該文字表示の右隣であって演出表示領域２０８ｄ内の右上角部には、「装飾７」が表示され、開始された大当り遊技が例えば確変遊技状態における
特図１変動遊技において特図Ａに係る大当り（
大当りＡ
）に当選
・・・中略・・・
【０２５２】
　その後、大当り遊技が進行して１５ラウンド終了すると、図２８（ｃ）に示すように、演出表示領域２０８ｄ内の中央上方には、「大当り終了」という文字表示がなされて大当り遊技が終了したことが報知される。また、演出表示領域２０８ｄ内の中央下方には、累計賞球数が１８９０個であることを示すために、四角枠内に「１８９０両」と表示された画像による賞球数報知演出が実行される。
大当り遊技において
大入賞口への
入球に対して
賞球が得られ
【０２５３】
　当該大当り遊技終了後に開始した例えば特図１変動遊技において、停止図柄が「
特図Ａ
に係る１５Ｒ特別大当り（
大当りＡ
）に当選したことに基づいて大当り遊技が開始され
（シ）「【０２５４】
　パチンコ機１００は、当該大当り遊技中に所定のタイミングで第１副制御部メイン処理を実行する。この第１副制御部メイン処理が実行される毎に
特別演出制御処理が実行される。第１副制御部４００は
実行中の大当り遊技が「大当りＡ」に基づいているため所定条件１を充足していると判定し（ステップＳ１３０３）
所定条件２の条件１
を達成したと判定し（ステップＳ１３０９
）、特別演出１を実行するためのコマンドを装飾図柄表示装置２０８に送信し
【０２５５】
　当該特別演出制御処理が実行されることにより、図２８（ｅ）に示すように、
演出表示領域２０８ｄ内のほぼ中央に、
「特別演出１ＧＥＴ２０００」と表示された画像による特別演出が実行され
・・・中略・・・
【０２５７】
　その後、
大当り遊技が進行して１５ラウンド終了すると
演出表示領域２０８ｄ内の中央上方には、「大当り終了」という文字表示がなされて大当り遊技が終了したことが報知され
大当り遊技が終了すると
「特別演出１ＧＥＴ２０００」と表示された画像を演出表示領域２０８ｄに再表示してもよい
［認定事項］
（ス）上記（オ）の【００６７】に「主制御部３００のＣＰＵ３０４が実行する主制御部タイマ割込処理」と記載され、上記（カ）の【０１４６】に「入賞口閉鎖状態設定処理は、例えば主制御部タイマ割込処理…において実行される。」と記載され、【０１４７】に「…入賞口閉鎖状態設定処理では…主制御部３００は…ステップＳ１００３に移行し…」と記載され、【０１４８】に「…ステップＳ１００３では…主制御部３００は…可変入賞口２３４、２３５のそれぞれについて、当り遊技における扉部材２３４ａおよび扉部材２３５ａのそれぞれの開放パターン…を決定し」と記載されているから、
主制御部３００のＣＰＵ３０４は、可変入賞口２３４、２３５のそれぞれについて、当り遊技における開放パターンを決定
（セ）上記（ケ）の【０２２４】に「…特別演出制御処理は、第１副制御部４００のＣＰＵ４０４がＲＡＭ４０８等を制御して実行される。」と記載され、【０２２６】に「…ステップＳ１３０３では…第１副制御部４００は、所定条件１を充足したと判定したら…所定条件１は…大当りＡ…に基づく大当り遊技であること…である。」と記載され、【０２３０】に「…ステップ１３０９では、所定条件２を充足しているか否かを判定する。…第１副制御部４００は…所定条件２を充足したと判断して…」と記載され、上記（シ）の【０２５４】に「…特別演出制御処理が実行される。第１副制御部４００は…実行中の大当り遊技が「大当りＡ」に基づいているため所定条件１を充足していると判定し（ステップＳ１３０３）…所定条件２の条件１…を達成したと判定し（ステップＳ１３０９…）、特別演出１を実行するためのコマンドを装飾図柄表示装置２０８に送信し…」と記載されているから、
第１副制御部４００のＣＰＵ４０４は、実行中の大当り遊技が大当りＡに基づく大当り遊技であると判定したら、所定条件２を充足しているか否かを判定し、所定条件２の条件１を達成したと判定したら、特別演出１を実行するためのコマンドを装飾図柄表示装置２０８に送信
（ソ）上記（イ）の【００３５】に「…パチンコ機１００の主制御部３００…」と記載され、上記（ク）の【０１８２】に「…パチンコ機１００に備えられた主制御部３００のＣＰＵ３０４…」と記載されているから、パチンコ機１００は
主制御部３００を備え
（タ）上記（ウ）の【００４２】に「…パチンコ機１００の第１副制御部４００…」と記載されているから、パチンコ機１００は
第１副制御部４００を備え
［引用発明］
　そして、引用文献１の記載事項（ア）から（シ）及び認定事項（ス）から（タ）を総合すると、引用文献１には次の発明（以下「引用発明」という。）が記載されていると認められる（当審にて、本件補正発明１及び２の構成ＡからＫに対応させて、記号ａないしｋを付した。）。
「ａ　特図変動遊技において遊技者に対する有利度が相対的に大きくなる図柄である特図Ａに係る１５ラウンド（１５Ｒ）特別大当り（大当りＡ）に当選すると、大当りＡに基づく大当り遊技が開始されて可変入賞口２３４または可変入賞口２３５が開放され、大入賞口（可変入賞口２３４、２３５）への入球に対して賞球が得られるパチンコ機１００であって、（（エ）【００５０】、（キ）【０１６７】、（ケ）【０２２６】、（サ）【０２４８】、【０２４９】、【０２５２】、【０２５３】）
ｂ　遊技球が入球可能な開状態と遊技球が入球不可能な閉状態とのいずれか一方から他方へ移行可能な可変入賞口２３４、２３５を備え、（（カ）【０１４５】）
ｃ　ＣＰＵ３０４を搭載している基本回路３０２を備えている主制御部３００を備え、（（イ）【００３５】、認定事項（ソ））
　主制御部３００のＣＰＵ３０４は、可変入賞口２３４、２３５のそれぞれについて、当り遊技における開放パターンを決定し、可変入賞口の開放パターンに基づいて可変入賞口２３４および／または可変入賞口２３５の開閉制御を少なくとも実行可能になっており、（（ク）【０１８２】、認定事項（ス））
ｄ、ｅ　ＣＰＵ４０４を搭載しており、ＣＰＵ４０４からの信号に基づいて装飾図柄表示装置２０８に画像を表示するＶＤＰ４３４を接続している基本回路４０２を備えている第１副制御部４００を備え、（（ウ）【００４２】、【００４３】、認定事項（タ））
　大当りＡに当選したことに基づいている大当り遊技が進行して１５ラウンド終了すると、装飾図柄表示装置２０８の演出表示領域２０８ｄ内の中央上方には、「大当り終了」という文字表示がなされて大当り遊技が終了したことが報知され、（（ア）【００２０】、（サ）【０２５３】、（シ）【０２５７】）
　第１副制御部４００のＣＰＵ４０４は、実行中の大当り遊技が大当りＡに基づく大当り遊技であると判定したら、累計賞球数に基づく所定条件２を充足しているか否かを判定し、所定条件２の条件１を達成したと判定したら、特別演出１を実行するためのコマンドを装飾図柄表示装置２０８に送信し、装飾図柄表示装置２０８の演出表示領域２０８ｄ内のほぼ中央に、「特別演出１ＧＥＴ２０００」と表示された画像による特別演出が実行され、（（ア）【００２０】、（コ）【０２４３】、（シ）【０２５５】、認定事項（セ））
ｆ、ｋ　可変入賞口２３４、２３５（入賞手段の一例）が閉鎖する契機には、入賞手段への規定個数の入球が含まれ、（（カ）【０１４５】）
ｇ　第１副制御部４００は、主制御部３００から大入賞口入賞コマンドを受信したと判定し、実行中の大当り遊技が大当りＡに基づいているため所定条件１を充足していると判定したら、累計賞球数カウンタの値を読み出して、増加した分を当該値に加算して、記憶し直し、累計賞球数が所定値（累計賞球数が２０００個）を超えていると判定したら所定条件２の条件１を達成したと判定し、（（ケ）【０２２５】、【０２２６】、【０２２８】、【０２３０】、（コ）【０２４３】、（シ）【０２５４】）
ｈ、ｌ　大当り遊技が終了すると、「特別演出１ＧＥＴ２０００」と表示された画像を演出表示領域２０８ｄに再表示してもよい、（（シ）【０２５７】）
Ｊ　パチンコ機１００。（（サ）【０２４８】）」
イ　引用文献２
　原査定の拒絶の理由で引用され、本願の出願前に頒布された又は電気通信回線を通じて公衆に利用可能となった、特開２０１０−７５４３６号公報（平成２２年４月８日出願公開。以下「引用文献２」という。）には、以下の事項が記載されている。
［記載事項］
（ア）「【００２０】
　図１および図２に示すように、本発明の実施形態に係る
パチンコ遊技機１
（イ）「【０３１５】
　（ハ）所定個数を超えた場合（所定個数を超える毎）、その所定個数を１５ラウンド大当り遊技が終了したことを条件に表示（図２８）
　図１９の（ハ）の白丸印（○印）は、
１５ラウンド大当り遊技が終了する毎に
獲得球数があらかじめ定めた所定個数（ここでは２０００個単位とする）を超えた場合に
大当り終了演出区間Ｔｂにおける演出中にて上記獲得球数を表示する
・・・中略・・・
【０３１７】
　そして演出制御基板２４は、ステップＳ７８２の処理の後、獲得球数表示用液晶データを設定し（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、
獲得球数Ｖが画像表示される
［引用文献２に記載の技術事項］
　引用文献２の記載事項（ア）及び（イ）を総合すると、引用文献２には次の技術事項（以下「引用文献２に記載の技術事項」という。）が記載されていると認められる。
「　１５ラウンド大当り遊技が終了する毎に獲得球数があらかじめ定めた所定個数（ここでは２０００個単位とする）を超えた場合に、大当り終了演出区間における演出中にて獲得球数Ｖが画像表示されるパチンコ遊技機１。（（ア）【００２０】、（イ）【０３１５】、【０３１７】）」
ウ　引用文献３
　本願の出願前に頒布された又は電気通信回線を通じて公衆に利用可能となった、特開２０１３−３１４７１号公報（平成２５年２月１４日出願公開。以下「引用文献３」という。）には、以下の事項が記載されている。
［記載事項］
（ア）「【００６０】
次に、図４を参照して、本実施形態のパチンコ機１０における第３図柄表示装置８１に表示される表示内容について説明する。
図４（ａ）及び図４（ｂ）は、第３図柄表示装置８１の表示画面
【００６１】
　
図４（ａ）に示すように、第３図柄は、「０」から「９」の数字に対応する１０種類のキャラクタ図柄からなる１０種類の主図柄と、この主図柄より小さく形成された１種類の副図柄（本実施の形態では、貝の絵図柄）とにより構成されている。
（イ）「【００６５】
　
第１入球口６４へ球が入球（入賞）し、所定の変動方向（本実施形態では横方向Ｘ）にスクロールする変動表示が実行された場合、その変動表示は、所定の変動時間後に
停止する。
（ウ）「【００６７】
　また、本実施形態の
パチンコ機１０
図４（ｂ）に示すように、第３図柄表示装置８１の画面右上領域に獲得球数表示領域８１ａを形成するように構成されている。
【００６８】
　獲得球数表示領域８１ａには、種々の獲得球数がそれぞれに規定されたタイミングで表示される。図４（ｂ）に示す例では、総獲得球数８１ａ１が獲得球数表示領域８１ａに表示されている。なお、図４（ｂ）において、獲得球数表示領域８１ａ以外の表示内容については省略している。詳細は後述するが、
総獲得球数８１ａ１は
大当たり終了後に高確率モード又は時間短縮モードに移行してから、最初の変動表示が開始されるタイミングで
表示される
（エ）「【００７１】
　
獲得球数表示領域８１ａへの獲得球数の表示は
獲得球数
を獲得球数表示領域８１ａに表示させた透明背景の画像を、第３図柄表示装置８１に表示中の画像に重ねることによって行う。
（オ）「【０１６３】
　変動開始時表示フラグ２７３ｔは、変動表示の開始に伴って総獲得球数（一連の有利状態の期間における獲得球数）を獲得球数表示領域８１ａに表示させるタイミングであるか否かを示すフラグである。変動開始時表示フラグ２７３ｔは、オン（即ち「１」）に設定されている場合には、変動表示の開始に伴って総獲得球数を獲得球数表示領域８１ａに表示させるタイミングであることを示し、オフ（即ち「０」）に設定されている場合には、そのタイミングでないことを示す。本実施形態では、
大当たりの終了後に遊技モードが高確率モード又は時間短縮モードへ移行してから、最初の変動表示が開始されるタイミングで、総獲得球数を
表示させるように構成されている
（カ）「【図４】
」
［引用文献３に記載の技術事項］
　引用文献３の記載事項（ウ）及び（オ）を総合すると、引用文献３には次の技術事項（以下「引用文献３に記載の技術事項」という。）が記載されていると認められる。
「　総獲得球数を、大当たり終了後に遊技モードが高確率モード又は時間短縮モードへ移行してから、最初の変動表示が開始されるタイミングで、表示させるように構成されているパチンコ機１０。（（ウ）【００６７】、【００６８】、（オ）【０１６３】）」
（３）本件補正発明１と引用発明との対比
　本件補正発明１と引用発明とを対比する（当審にて構成ＡからＪに対応させて、見出し（ａ）から（ｊ）を付した。）。
（ａ）
　引用発明における「大当りＡに基づく大当り遊技」は、「遊技者に対する有利度が相対的に大きくなる図柄である特図Ａに係る１５ラウンド（１５Ｒ）特別大当り（大当りＡ）に当選すると」「開始され」、「入球に対して賞球が得られる」「可変入賞口２３４または可変入賞口２３５が開放され」るので、本件補正発明１の「遊技者にとって有利な有利状態」に相当する。
　したがって、引用発明の「大当りＡに基づく大当り遊技が開始され」る「パチンコ機１００」は、本件補正発明１の「遊技者にとって有利な有利状態に制御可能な遊技機」に相当する。
　よって、引用発明は、本件補正発明１の構成Ａを備えている。
（ｂ）
　引用発明では、「大入賞口（可変入賞口２３４、２３５）への入球に対して賞球が得られる」ので、「遊技球が入球可能な開状態」へ「移行可能」であることは、本件補正発明１において「遊技媒体が入賞可能な開状態に変化可能」であることに相当する。
　したがって、引用発明の「遊技球が入球可能な開状態と遊技球が入球不可能な閉状態とのいずれか一方から他方へ移行可能な可変入賞口２３４、２３５」は、本件補正発明１の「遊技媒体が入賞可能な開状態に変化可能な可変入賞装置」に相当する。
　よって、引用発明は、本件補正発明１の構成Ｂを備えている。
（ｃ）
　引用発明では、「主制御部３００のＣＰＵ３０４」が、「可変入賞口２３４、２３５のそれぞれについて、当り遊技における開放パターンを決定し、可変入賞口の開放パターンに基づいて可変入賞口２３４および／または可変入賞口２３５の開閉制御を少なくとも実行可能」であるから、当該「ＣＰＵ３０４を搭載している基本回路３０２を備えている主制御部３００」が「可変入賞口２３４または可変入賞口２３５が開放され」る「大当りＡに基づく大当り遊技」へ制御しているといえる。
　したがって、引用発明の「可変入賞口２３４、２３５のそれぞれについて、当り遊技における開放パターンを決定し、可変入賞口の開放パターンに基づいて可変入賞口２３４および／または可変入賞口２３５の開閉制御を少なくとも実行可能になって」いる「ＣＰＵ３０４を搭載している基本回路３０２を備えている主制御部３００」は、本件補正発明１の「前記有利状態へ制御する有利状態制御手段」に相当する。
　よって、引用発明は、本件補正発明１の構成Ｃを備えている。
（ｄ）、（ｆ）
　引用発明では、「可変入賞口２３４、２３５（入賞手段の一例）が閉鎖する契機には、入賞手段への規定個数の入球が含まれ」るので、「入賞手段への規定個数の入球」を「契機」に「可変入賞口２３４、２３５（入賞手段の一例）が閉鎖」し、「大当りＡに当選したことに基づいている大当り遊技が進行して１５ラウンド終了する」場合は、本件補正発明１において「少なくとも前記可変入賞装置に所定数の遊技媒体が入賞して前記有利状態が終了する場合」に相当する。
　そして、引用発明において、「入賞手段への規定個数の入球」を「契機」に「可変入賞口２３４、２３５（入賞手段の一例）が閉鎖」し、「大当りＡに当選したことに基づいている大当り遊技が進行して１５ラウンド終了する」ときは、本件補正発明１において、「前記有利状態において前記可変入賞装置に遊技媒体が入賞し第１条件が成立したとき」に相当する。
　また、引用発明において、「装飾図柄表示装置２０８の演出表示領域２０８ｄ内の中央上方には、「大当り終了」という文字表示がなされて大当り遊技が終了したことが報知され」ることは、本件補正発明１において、「第１の報知を行う」ことに相当する。
　ここで、引用発明では、「第１副制御部４００」が、「ＣＰＵ４０４を搭載しており、ＣＰＵ４０４からの信号に基づいて装飾図柄表示装置２０８に画像を表示するＶＤＰ４３４を接続している基本回路４０２を備えている」ので、「装飾図柄表示装置２０８の演出表示領域２０８ｄ内の中央上方に」、「「大当り終了」という文字表示がなされ」るようにしているのは、「ＣＰＵ４０４を搭載しており、ＣＰＵ４０４からの信号に基づいて装飾図柄表示装置２０８に画像を表示するＶＤＰ４３４を接続している基本回路４０２を備えている第１副制御部４００」であるといえる。
　したがって、引用発明の「装飾図柄表示装置２０８の演出表示領域２０８ｄ内の中央上方に」、「「大当り終了」という文字表示がなされ」るようにする「ＣＰＵ４０４を搭載しており、ＣＰＵ４０４からの信号に基づいて装飾図柄表示装置２０８に画像を表示するＶＤＰ４３４を接続している基本回路４０２を備えている第１副制御部４００」は、本件補正発明１の「第１の報知を行う第１報知手段」に相当する。
　よって、引用発明は、本件補正発明１の構成Ｄ及びＦを備えている。
（ｅ）、（ｇ）
　引用発明において、「実行中の大当り遊技が大当りＡに基づいているため所定条件１を充足していると判定した」場合において、「所定条件２の条件１を達成したと判定した」ときに、「特別演出１を実行するためのコマンドを装飾図柄表示装置２０８に送信し、装飾図柄表示装置２０８の演出表示領域２０８ｄ内のほぼ中央に、「特別演出１ＧＥＴ２０００」と表示された画像による特別演出が実行され」るようにすることは、本件補正発明１において、「前記有利状態において」、「前記第１条件とは異なる第２条件が成立したときに、第２の報知を行う」ことに相当する。
　そして、引用発明では、「特別演出１を実行するためのコマンドを装飾図柄表示装置２０８に送信し、装飾図柄表示装置２０８の演出表示領域２０８ｄ内のほぼ中央に、「特別演出１ＧＥＴ２０００」と表示された画像による特別演出が実行され」るようにするのは、「第１副制御部４００のＣＰＵ４０４」であるから、引用発明の「第１副制御部４００」が本件補正発明１の「第２報知手段」に相当する。
　また、引用発明における「主制御部３００から」の「大入賞口入賞コマンド」は、技術常識に照らして、「大入賞口」、すなわち「可変入賞口２３４、２３５」に入賞したことに基づいて送信されるものであることは記載されているに等しい事項である。
　ここで、引用発明の「大入賞口（可変入賞口２３４、２３５）への入球に対して」「得られる」「賞球」は、本件補正発明１の「前記可変入賞装置に遊技媒体が入賞したことで付与される遊技価値」に相当する。
　そうすると、引用発明において、「所定条件２の条件１」が、「主制御部３００から大入賞口入賞コマンドを受信したと判定し、実行中の大当り遊技が大当りＡに基づいているため所定条件１を充足していると判定したら、累計賞球数カウンタの値を読み出して、増加した分を当該値に加算して、記憶し直し、累計賞球数が所定値（累計賞球２０００個）を超えていると判定したら」、「達成」されることは、本願発明において、「前記第２条件は、前記可変入賞装置に遊技媒体が入賞したことに基づいて付与される遊技価値が所定値に到達したことで成立」することに相当する。
　よって、引用発明は、本件補正発明１の構成Ｅ及びＧを備えている。
（ｊ）
　引用発明の「パチンコ機１００」は、本件補正発明１の「遊技機」に相当する。
　よって、引用発明は、本件補正発明１の構成Ｊを備えている。
　以上より、本件補正発明１と引用発明とは
「　遊技者にとって有利な有利状態に制御可能な遊技機であって、
　遊技媒体が入賞可能な開状態に変化可能な可変入賞装置と、
　前記有利状態へ制御する有利状態制御手段と、
　前記有利状態において前記可変入賞装置に遊技媒体が入賞し第１条件が成立したときに、第１の報知を行う第１報知手段と、
　前記有利状態において前記可変入賞装置に遊技媒体が入賞し前記第１条件とは異なる第２条件が成立したときに、第２の報知を行う第２報知手段と
　を備え、
　前記第１条件は、少なくとも前記可変入賞装置に所定数の遊技媒体が入賞して前記有利状態が終了する場合に成立し、
　前記第２条件は、前記可変入賞装置に遊技媒体が入賞したことに基づいて付与される遊技価値が所定値に到達したことで成立する
　遊技機。」
である点で一致し、以下の点で相違する。
［相違点１］（構成Ｈ）
　本件補正発明１は、「前記第１条件と前記第２条件とが同じタイミングにおいて成立したときには、前記第１報知手段による報知と、前記第２報知手段による報知とを重複して実行可能であ」るのに対し、引用発明は、そのような構成を有するか不明である点。
［相違点２］（構成Ｉ）
　本件補正発明１は、「前記第２報知手段は、前記第２条件が成立しているときに前記第１条件も成立した場合、前記第１の報知よりも目立たない態様で前記第２の報知を実行する」のに対し、引用発明は、そのような構成を有するか不明である点。
（４）本件補正発明１についての判断
　上記相違点１と上記相違点２とは、第１条件と第２条件とがともに成立したときの報知に関するものである点で関連するため、まとめて検討する。
　引用発明において、「大入賞口（可変入賞口２３４、２３５）への入球に対して賞球が得られ」ることで、「累計賞球数が所定値（累計賞球２０００個）を超え」るのと、「入賞手段への規定個数の入球」という「可変入賞口２３４、２３５（入賞手段の一例）が閉鎖する契機」とが、同じタイミングで成立することがあり得ることは明らかである。
　してみると、両者が同じタイミングで成立したときの、「装飾図柄表示装置２０８の演出表示領域２０８ｄ内のほぼ中央に」おける、「特別演出１ＧＥＴ２０００」と表示された画像による特別演出」と、「装飾図柄表示装置２０８の演出表示領域２０８ｄ内の中央上方に」おける、「「大当り終了」という文字表示がなされ」る「大当り遊技が終了したこと」の「報知」とをどのように実行するかは、引用発明を具体化するに際して当業者が当然検討すべき事項である。
　引用文献２に記載の技術事項では、「大当り終了演出区間における演出中にて」、「獲得球数があらかじめ定めた所定個数（ここでは２０００個単位とする）を超えた場合」の「獲得球数Ｖ」を「画像表示」するので、引用発明において、引用文献２に記載の技術事項を勘案して、「装飾図柄表示装置２０８の演出表示領域２０８ｄ内の中央上方に」、「「大当り終了」という文字表示がなされて大当り遊技が終了したことが報知され」ている演出中にて、「装飾図柄表示装置２０８の演出表示領域２０８ｄ内のほぼ中央に、「特別演出１ＧＥＴ２０００」と表示された画像による特別演出」を「実行」するようなすことは、当業者が容易に想到し得ることである。そして、引用発明において、「「大当り終了」という文字表示」は、「装飾図柄表示装置２０８の演出表示領域２０８ｄ内の中央上方に」なされ、「「特別演出１ＧＥＴ２０００」と表示された画像による特別演出」は、「装飾図柄表示装置２０８の演出表示領域２０８ｄ内のほぼ中央に」おいて「実行され」るため、両者は表示される領域が異なっているので、重複して実行可能であるといえる。
　ここで、引用発明は、「大当り遊技が終了すると、「特別演出１ＧＥＴ２０００」と表示された画像を演出表示領域２０８ｄに再表示してもよい」のであるから、「「大当り終了」という文字表示がなされて大当り遊技が終了したことが報知され」ている演出中にて、「装飾図柄表示装置２０８の演出表示領域２０８ｄ内のほぼ中央に、「特別演出１ＧＥＴ２０００」と表示された画像による特別演出」を「実行」するようなすことに阻害要因があるともいえない。
　また、遊技機に関する技術分野において、獲得球数の表示をその他の演出よりも小さい表示態様で実行することは、本願出願前に周知の技術的事項であると認められる（例えば、特開２０１３−１８００４１号公報の【００７２】に「図２０の（ａ）は獲得球数の映像であり…大当り遊技演出の映像の前方に重ねて表示される。」と記載されていることに照らして、【図２０】を参照すれば、「獲得球数の映像は大当り遊技演出の映像よりも小さい表示領域で表示されている」ことが看て取れる。また、引用文献３の（ア）【００６０】及び【００６１】、（イ）【００６５】、（ウ）【００６７】及び【００６８】並びに（エ）【００７１】の記載内容に照らして、（カ）【図４】を参照すれば、「獲得球数の表示は、第３図柄の変動表示よりも小さい表示領域で表示される」ことが看て取れる。）。
　したがって、引用発明における、「「特別演出１ＧＥＴ２０００」と表示された画像による特別演出が実行され」る「装飾図柄表示装置２０８の演出表示領域２０８ｄ内のほぼ中央」の表示領域を、「「大当り終了」という文字表示」がなされる「装飾図柄表示装置２０８の演出表示領域２０８ｄ内の中央上方」の表示領域よりも小さくすることも、上記周知の技術事項に基づいて当業者が容易に想到し得ることである。
（５）本件補正発明１の効果について
　本件補正発明１が有する効果は、引用発明、引用文献２に記載の技術事項及び上記周知の技術事項が有する各効果から当業者が予測し得る程度のものであり、格別のものとはいえない。
（６）本件補正発明１に関する請求人の主張について
ア　請求人の主張
　請求人は、平成３０年５月１４日に提出された審判請求書の「３　本願発明が特許されるべき理由」の「（４）構成上の相違」及び「（５）本願発明の有利な効果」において、概ね以下の主張をしている。
（ア）いずれの引用文献にも、本件補正発明１の少なくとも下記の構成が記載されていない。
　「前記第１条件は、少なくとも前記可変入賞装置に所定数の遊技媒体が入賞して前記有利状態が終了する場合に成立し、前記第２条件は、前記可変入賞装置に遊技媒体が入賞したことに基づいて付与される遊技価値が所定値に到達したことで成立し、前記第１条件と前記第２条件とが同じタイミングにおいて成立したときには、前記第１報知手段による前記第１の報知と、前記第２報知手段による前記第２の報知とを重複して実行可能であり、前記第２報知手段は、前記第２条件が成立したときに前記第１条件も成立した場合、前記第１の報知よりも目立たない態様で前記第２の報知を実行する」（以下「構成ア」という。）
（イ）引用文献１に記載の発明に、引用文献２に記載の事項を適用しても、本件補正発明１における上記構成アについて、当業者が容易に想到し得ない。したがって、引用文献１に記載の発明に、引用文献２に記載の事項を適用しても、少なくとも可変入賞装置に所定数の遊技媒体が入賞して有利状態が終了することと、可変入賞装置に遊技媒体が入賞したことに基づいて付与される遊技価値が所定値に到達したこととが、同じタイミングにおいて生じたことを、分かり易く報知することはできない。また、引用文献１に記載の発明に、引用文献２に記載の事項を適用した場合、いずれの報知への注目も共に低下してしまう可能性がある。
イ　上記主張（ア）及び（イ）について
　上記構成アについては、上記「（４）本件補正発明１についての判断」のとおりであり、引用発明、引用文献２に記載の技術事項及び周知の技術事項に基づいて当業者が容易に想到し得た構成である。
　また、上記主張（イ）における本件補正発明１の有利な効果については、上記「（５）本件補正発明１の効果について」のとおり、引用発明、引用文献２に記載の技術事項及び周知の技術事項が有する各効果から、当業者が予測し得る程度のものであり、格別のものとはいえない。
　したがって、請求人の主張を採用することはできない。
（７）本件補正発明１についての小括
　上記（１）から（６）より、本件補正発明１は、引用発明、引用文献２に記載の技術事項及び周知の技術事項に基づいて当業者が容易に発明することができたものであるから、特許法第２９条第２項の規定により特許出願の際独立して特許を受けることができない。
（８）本件補正発明２と引用発明との対比
　次に、本件補正発明２と引用発明とを対比する。
　本件補正発明２の構成ＡからＧ及びＪは、本件補正発明１の構成ＡからＧ及びＪと同一であるため、上記「（３）本件補正発明１と引用発明との対比」と同様である。
　したがって、本件補正発明２と引用発明とは、
「　遊技者にとって有利な有利状態に制御可能な遊技機であって、
　遊技媒体が入賞可能な開状態に変化可能な可変入賞装置と、
　前記有利状態へ制御する有利状態制御手段と、
　前記有利状態において前記可変入賞装置に遊技媒体が入賞し第１条件が成立したときに、第１の報知を行う第１報知手段と、
　前記有利状態において前記可変入賞装置に遊技媒体が入賞し前記第１条件とは異なる第２条件が成立したときに、第２の報知を行う第２報知手段と
　を備え、
　前記第１条件は、少なくとも前記可変入賞装置に所定数の遊技媒体が入賞して前記有利状態が終了する場合に成立し、
　前記第２条件は、前記可変入賞装置に遊技媒体が入賞したことに基づいて付与される遊技価値が所定値に到達したことで成立する
　遊技機。」
である点で一致し、以下の点で相違する。
［相違点１’］（構成Ｋ）
　「前記第１報知手段」について、本件補正発明２では、「前記第１条件が成立したときに前記第２条件も成立した場合、該第１条件が成立したタイミングにおいて前記第１の報知を実行」するのに対し、引用発明では、そのような構成を有するか不明である点。
［相違点２’］（構成Ｌ）
　「前記第２報知手段」について、本件補正発明２では、「前記第２条件が成立したときに前記第１条件も成立した場合、前記有利状態が終了した後に実行される可変表示中において前記第２の報知を実行する」のに対し、引用発明では、そのような構成を有するか不明である点。
（９）本件補正発明２についての判断
　上記相違点１’と上記相違点２’とは、第１条件と第２条件とがともに成立したときの報知に関するものである点で関連するため、まとめて検討する。
　上記「（４）本件補正発明１についての判断」と同様に、引用発明において、「累計賞球数が所定値（累計賞球２０００個）を超え」るのと、「入賞手段への規定個数の入球」という「可変入賞口２３４、２３５（入賞手段の一例）が閉鎖する契機」とが、ともに成立することがあり得ることは明らかであるところ、「装飾図柄表示装置２０８の演出表示領域２０８ｄ内のほぼ中央に」おける、「特別演出１ＧＥＴ２０００」と表示された画像による特別演出」と、「装飾図柄表示装置２０８の演出表示領域２０８ｄ内の中央上方に」おける、「「大当り終了」という文字表示がなされ」る「大当り遊技が終了したこと」の「報知」とをどのように実行するかは、引用発明を具体化するに際して当業者が当然検討すべき事項である。
　引用発明における「「大当り終了」という文字表示がなされて大当り遊技が終了したことが報知され」ることは、大当り遊技が終了したことの報知であるのだから、「入賞手段への規定個数の入球」という「可変入賞口２３４、２３５（入賞手段の一例）が閉鎖する契機」が成立して、「大当りＡに当選したことに基づいている大当り遊技が進行して１５ラウンド終了する」タイミングで実行されるのが最も自然であり、当業者がそのタイミングで実行するようなすことは容易に想到し得ることである。
　また、引用文献３に記載の技術事項では、「総獲得球数」を、「大当たり終了後」の「最初の変動表示が開始されるタイミング」で、「表示させる」ので、引用文献３に記載の技術事項を勘案して、引用発明において、「特別演出１ＧＥＴ２０００」と表示された画像による特別演出」を、「大当り遊技が終了した」後の最初の「特図変動遊技」が開始されるタイミングで「実行」するようなすことは、当業者が容易に想到し得たことである。
　そして、引用発明は、「大当り遊技が終了すると、「特別演出１ＧＥＴ２０００」と表示された画像を演出表示領域２０８ｄに再表示してもよい」のであるから、「大当り遊技が終了した」後の最初の「特図変動遊技」が開始されるタイミングで、「特別演出１ＧＥＴ２０００」と表示された画像による特別演出」を「実行」するようなすことに阻害要因があるともいえない。
（１０）本件補正発明２の効果について
　本件補正発明２が有する効果は、引用発明及び引用文献３に記載の技術事項が有する各効果から当業者が予測し得るものであり、格別のものとはいえない。
（１１）本件補正発明２に関する請求人の主張について
ア　請求人の主張
　請求人は、平成３０年５月１４日に提出された審判請求書の「３　本願発明が特許されるべき理由」の「（４）構成上の相違」及び「（５）本願発明の有利な効果」において、概ね以下の主張をしている。
（ア）いずれの引用文献２にも、本件補正発明２の少なくとも下記の構成が記載されていない。
　「前記第１条件は、少なくとも前記可変入賞装置に所定数の遊技媒体が入賞して前記有利状態が終了する場合に成立し、前記第２条件は、前記可変入賞装置に遊技媒体が入賞したことに基づいて付与される遊技価値が所定値に到達したことで成立し、前記第１報知手段は、前記第１条件が成立したときに前記第２条件も成立した場合、該第１条件が成立したタイミングにおいて前記第１の報知を実行し、前記第２報知手段は、前記第２条件が成立したときに前記第１条件も成立した場合、前記有利状態が終了した後に実行される可変表示中において前記第２の報知を実行する」（以下「構成イ」という。）
（イ）引用文献１に記載の発明に、引用文献２に記載の事項を適用しても、本件補正発明２における上記構成イについて、当業者が容易に想到し得ない。したがって、引用文献１に記載の発明に、引用文献２に記載の事項を適用しても、少なくとも可変入賞装置に所定数の遊技媒体が入賞して有利状態が終了することと、可変入賞装置に遊技媒体が入賞したことに基づいて付与される遊技価値が所定値に到達したこととが、同じタイミングにおいて生じたことを、事後的に報知することができない。また、引用文献１に記載の発明に、引用文献２に記載の事項を適用しても、有利状態が終了した後に実行される可変表示の実行中において実行されることへの期待感を継続させることができず、有利状態が終了した後に実行される可変表示における興趣を向上させることができない。
イ　上記主張（ア）及び（イ）について
　上記構成イについては、上記「（９）本件補正発明２についての判断」のとおりであり、引用発明及び引用文献３に記載の技術事項に基づいて当業者が容易に想到し得た構成である。
　また、上記主張（イ）における本件補正発明２の有利な効果については、上記「（１０）本件補正発明２の効果について」のとおり、引用発明及び引用文献３に記載の技術事項が有する各効果から、当業者が予測し得る程度のものであり、格別のものとはいえない。
　したがって、請求人の主張を採用することはできない。
（１２）本件補正発明２についての小括
　上記（１）、（２）及び（８）から（１１）より、本件補正発明２は、引用発明及び引用文献３に記載の技術事項に基づいて当業者が容易に発明することができたものであるから、特許法第２９条第２項の規定により特許出願の際独立して特許を受けることができない。
（１３）独立特許要件についてのむすび
　上記（１）から（１２）より、本件補正発明１及び２は、特許法第２９条第２項の規定により特許出願の際独立して特許を受けることができない。
４　本件補正についてのむすび
　本件補正は、上記「３　独立特許要件」のとおり、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記第２のとおり却下されたので、本願の請求項１に係る発明は、平成２９年２月６日にされた手続補正により補正された特許請求の範囲の請求項１に記載された事項により特定されるものであるところ、その請求項１に係る発明（以下「本願発明」という。）は、その請求項１に記載された事項により特定される、前記第２の［理由］「１　補正の内容」に本件補正前の特許請求の範囲の記載として記載した以下のとおりのものである（当審にて分説のための記号を付した。本件補正発明１と同じ構成には同じ記号を付している。）。
「　【請求項１】
Ａ　遊技者にとって有利な有利状態に制御可能な遊技機であって、
Ｂ　遊技媒体が入賞可能な開状態に変化可能な可変入賞装置と、
Ｃ　前記有利状態へ制御する有利状態制御手段と、
Ｄ’　前記可変入賞装置に遊技媒体が入賞し第１条件が成立したときに、第１の報知を行う第１報知手段と、
Ｅ’　前記可変入賞装置に遊技媒体が入賞し前記第１条件とは異なる第２条件が成立したときに、第２の報知を行う第２報知手段と
を備え、
Ｆ’　前記第１条件は、
　少なくとも前記可変入賞装置に所定数の遊技媒体が入賞して前記有利状態が終了する場合に成立するとともに、
Ｇ　前記第２条件は、
　前記可変入賞装置に遊技媒体が入賞したことに基づいて付与される遊技価値が所定値に到達したことで成立し、
Ｈ’　前記第１条件と前記第２条件とが成立したときには、前記第１報知手段による前記第１の報知と、前記第２報知手段による前記第２の報知とを重複して実行可能であることを特徴とする
Ｊ　遊技機。」
２　原査定の拒絶の理由
　原査定の拒絶の理由は、この出願の請求項１−４に係る発明は、その出願前に日本国内又は外国において頒布された又は電気通信回線を通じて公衆に利用可能となった下記の引用文献１及び２に記載された発明に基づいて、その出願前にその発明の属する技術の分野における通常の知識を有する者が容易に発明をすることができたものであるから、特許法第２９条第２項の規定により特許を受けることができない、というものである。
引用文献１：特開２０１３−２０８３８０号公報
引用文献２：特開２０１０−７５４３６号公報
３　引用文献
　引用文献１及び引用文献２に記載された事項は、上記第２［理由］「３　独立特許要件」「（２）引用文献」の「ア　引用文献１」及び「イ　引用文献２」のとおりである。
４　対比・判断
　本願発明と引用発明とを対比する。
　構成Ａ、Ｂ、Ｃ、Ｇ及びＪについては、上記第２の［理由］「３　独立特許要件」の「（３）本件補正発明１と引用発明との対比」と同様である。
　また、上記第２の［理由］「２　補正の適否」の「（３）補正の目的について」のとおり、本件補正発明１の構成Ｄ及びＥは、本願発明の構成Ｄ’及びＥをさらに限定したものであって、上記第２の［理由］「３　独立特許要件」の「（３）本件補正発明１と引用発明との対比」のとおり、引用発明は当該限定された構成Ｄ及びＥを備えているから、構成Ｄ’及びＥ’も備えているといえる。
　さらに、上記第２の［理由］「２　補正の適否」の「（３）補正の目的について」のとおり、本件補正発明１の構成Ｆは、本願発明の構成Ｆ’の誤記を訂正したものであって、上記第２の［理由］「３　独立特許要件」の「（３）本件補正発明１と引用発明との対比」のとおり、引用発明は構成Ｆを備えているから、同様に構成Ｆ’も備えているといえる。
　したがって、本願発明と引用発明とは
「　遊技者にとって有利な有利状態に制御可能な遊技機であって、
　遊技媒体が入賞可能な開状態に変化可能な可変入賞装置と、
　前記有利状態へ制御する有利状態制御手段と、
　前記可変入賞装置に遊技媒体が入賞し第１条件が成立したときに、第１の報知を行う第１報知手段と、
　前記可変入賞装置に遊技媒体が入賞し前記第１条件とは異なる第２条件が成立したときに、第２の報知を行う第２報知手段と
を備え、
　前記第１条件は、
　少なくとも前記可変入賞装置に所定数の遊技媒体が入賞して前記有利状態が終了する場合に成立するとともに、
　前記第２条件は、
　前記可変入賞装置に遊技媒体が入賞したことに基づいて付与される遊技価値が所定値に到達したことで成立する
　遊技機。」
である点で一致し、以下の点で相違する。
［相違点１”］（構成Ｈ’）
　本願発明は、「前記第１条件と前記第２条件とが成立したときには、前記第１報知手段による報知と、前記第２報知手段による報知とを重複して実行可能である」のに対し、引用発明は、そのような構成を有するか不明である点。
　上記相違点１”に係る構成Ｈ’は、上記第２の［理由］「３　独立特許要件」の「（３）本件補正発明１と引用発明との対比」における相違点１に係る構成Ｈで、「前記第１条件と前記第２条件とが同じタイミングにおいて成立したとき」の「同じタイミングにおいて」という限定を省いたものである。
　してみると、本件補正発明１の構成Ｈから上記限定を省いた本願発明の構成Ｈ’についても上記第２の［理由］「３　独立特許要件」の「（４）本件補正発明１についての判断」と同様に、引用発明において、引用文献２に記載の技術事項を勘案して、「装飾図柄表示装置２０８の演出表示領域２０８ｄ内の中央上方に」、「「大当り終了」という文字表示がなされて大当り遊技が終了したことが報知され」ている演出中にて、「装飾図柄表示装置２０８の演出表示領域２０８ｄ内のほぼ中央に、「特別演出１ＧＥＴ２０００」と表示された画像による特別演出」を「実行」するようになし、両者を重複して実行可能とすることは、当業者が容易に想到し得ることである。
　また、本願発明が有する効果は、引用発明及び引用文献２に記載の技術事項が有する各効果から当業者が予測し得るものであり、格別のものとはいえない。
　したがって、本願発明は、引用発明及び引用文献２に記載の技術事項に基づいて容易に発明をすることができたものであるから、特許法第２９条第２項の規定により特許を受けることができない。
５　むすび
　上記１から４より、本願発明は、特許法第２９条第２項の規定により特許を受けることができないから、他の請求項に係る発明について検討するまでもなく、本願は拒絶されるべきものである。
　よって、結論のとおり審決する。